(57)【要約】      （修正有）【課題】形態がコンパクトで、種々の操作ボタンやモニターなどが付設されていないすっきりとしたネイルプリンターであって、気に入った絵や模様のネイルアートを、指１本単位で、誰もが手軽に自身の指の爪に施すことができるネイルプリンターを提供する。【解決手段】ネイルプリンターは、プリンター本体１０と、プリンター本体の前面側に装着され、プリンター本体に着脱可能な蓋体５０とからなり、プリンター本体には、指挿入口２０と、指挿入口に設置された指先１本を挿入載置するための上下動可能な指載置台２１と、撮像装置、プリンターヘッド、プリンターヘッドの駆動装置、及び、電源スイッチ１１等とが備えられ、蓋体には、指挿入口に挿入して指載置台上に設置する指載置補助具６０が蓋体の内側に着脱自在に取り付けられ、蓋体を取り外すとプリンター本体の指挿入口及び指載置台が露出する。【選択図】図２
0003218523.tif 000002
【実用新案登録請求の範囲】
【請求項１】
プリンター本体と、プリンター本体の前面側に装着され、プリンター本体に対して着脱可能な蓋体とからなり、
プリンター本体には、指挿入口と、指挿入口に設置された指先１本を挿入載置するための上下動可能な指載置台と、指載置台に挿入載置した指先の爪の上方に設置された撮像装置と、指載置台に載置した指先の爪の上方を移動して爪の表面に画像を印刷するプリンターヘッドと、プリンターヘッドを駆動させる駆動装置と、撮像装置、プリンターヘッド及び駆動装置に電源を供給する電源スイッチと、撮像装置、プリンターヘッド及び駆動装置を制御するための外部通信制御装置と信号を送受信する送受信装置とが備えられ、
蓋体には、指挿入口に挿入して指載置台上に設置する指載置補助具が蓋体の内側に着脱可能に取り付けられてなり、
蓋体を取り外すとプリンター本体における指挿入口及び指載置台が露出する構造をなす
ことを特徴とするネイルプリンター。
【請求項２】
蓋体の内側に保持部材が形成されており、
当該保持部材により指載置補助具を蓋体に対して着脱可能とした
ことを特徴とする請求項１に記載のネイルプリンター。
【請求項３】
蓋体の内側に係合片が形成されており、当該係合片と挿入口との係合により蓋体をプリンター本体に対して着脱可能とした
ことを特徴とする請求項１又は２に記載のネイルプリンター。
【請求項４】
指載置補助具は、指載置台に設けた案内部材により案内されて指挿入口内の指載置台上に設置され、
指載置台は、上下動可能に構成され、
指載置台が下部位置にあるときに指が挿入され、指載置台が上部位置にあるときに指の爪が印刷されるようにした
ことを特徴とする請求項１〜３のいずれか１項に記載のネイルプリンター。
【請求項５】
外部通信制御装置が、スマートフォン、タブレットコンピュータ、パーソナルコンピュータ等の電子応用端末機器である
ことを特徴とする請求項１〜４のいずれか１項に記載のネイルプリンター。
【考案の詳細な説明】
【技術分野】
【０００１】
本考案は、美容やファッションの分野において利用され、指の爪に様々な模様や文字等の図柄を印刷するネイルプリンターに関する。
【背景技術】
【０００２】
従来、ネイルアートは美容室でネイルアーティストによって提供される高度で専門的な知識や技術を必要とするサービスであり、したがって美容室での爪の装飾には長い時間と高額の費用を要するものであった。
【０００３】
一方、個人が爪の装飾を行う場合には、爪に模様等を描いたり、様々な模様が描かれた付け爪やネイルシールなどを爪に貼着するようなことが行われていた。
【０００４】
また、一部では、下記特許文献１に示されるネイルプリンターが開発されている。すなわち、下記特許文献１に示されるネイルプリンターは、筐体、筐体の上面の後端部にヒンジによって回動可能に連結された蓋体、筐体の前面の中央部に形成されている開口部を開閉する開閉板、筐体の上面に設置された操作盤、蓋体の内面に設けられた表示部、筺体の内側に収容され、上部機枠、印刷部、撮影部、下部機枠、指固定部、印刷保守部及びカートリッジ装着部等からなる装置本体を備えるものであって、操作盤には、コンピュータに接続され、ネイルプリンターの電源をＯＮ・ＯＦＦする電源スイッチ釦の他、各種の入力を行うための操作釦が配置されており、表示部は、同じくコンピュータに接続されたフラットディスプレイからなり、撮影した指爪画像、その指爪画像中の爪の輪郭線、その指爪画像中の指の輪郭線、爪に印刷すべき画像及びデザイン確認用のサムネイル画像等が適宜に表示されるようになっており、開口部に備える指案内部及び指受入部に１本の指を奥深くまで挿入する構成を備えたものである。
【先行技術文献】
【特許文献】
【０００５】
【特許文献１】特開２０１３−５９５７９号公報
【考案の概要】
【考案が解決しようとする課題】
【０００６】
しかしながら、上記特許文献１に示されるネイルプリンターは、これに内蔵されるコンピュータ制御により、画像が表示される表示部、撮影部及び印刷部が作動するようになっており、操作盤に配置されている各種入力を行うための操作釦が設けられている。また、指全体を奥深く挿入する構造であるため、指挿入分だけ奥行き寸法が大きくなって、ネイルプリンター全体のサイズが大きくなり、また、操作盤に配置されている各種入力を行うための操作釦や画像が表示される表示部を備えているために複雑な外観を呈する。
【０００７】
本考案は、形態がコンパクトで、種々の操作ボタンやモニターなどが付設されていないすっきりとしたネイルプリンターであって、気に入った絵や模様のネイルアートを、指１本単位で、誰もが手軽に自身の指の爪に施すことができるネイルプリンターを提供する。
【課題を解決するための手段】
【０００８】
本考案の請求項１に係るネイルプリンターは、プリンター本体と、プリンター本体の前面側に装着され、プリンター本体に対して着脱可能な蓋体とからなり、プリンター本体には、指挿入口と、指挿入口に設置された指先１本を挿入載置するための上下動可能な指載置台と、指載置台に挿入載置した指先の爪の上方に設置された撮像装置と、指載置台に載置した指先の爪の上方を移動して爪の表面に画像を印刷するプリンターヘッドと、プリンターヘッドを駆動させる駆動装置と、撮像装置、プリンターヘッド及び駆動装置に電源を供給する電源スイッチと、撮像装置、プリンターヘッド及び駆動装置を制御するための外部通信制御装置と信号を送受信する送受信装置とが備えられ、蓋体には、指挿入口に挿入して指載置台上に設置する指載置補助具が蓋体の内側に着脱可能に取り付けられてなり、蓋体を取り外すとプリンター本体における指挿入口及び指載置台が露出する構造をなすことを特徴とする。
【０００９】
本考案の請求項２に係るネイルプリンターは、上記請求項１に係るネイルプリンターの構成に加えて、蓋体の内側に保持部材が形成されており、当該保持部材により指載置補助具を蓋体に対して着脱可能としたことを特徴とする。
【００１０】
本考案の請求項３に係るネイルプリンターは、上記請求項１又は２に係るネイルプリンターの構成に加えて、蓋体の内側に係合片が形成されており、当該係合片と挿入口との係合により蓋体をプリンター本体に対して着脱可能としたことを特徴とする。
【００１１】
本考案の請求項４に係るネイルプリンターは、上記請求項１〜３のいずれか１項に係るネイルプリンターの構成に加えて、指載置補助具は、指載置台に設けた案内部材により案内されて指挿入口内の指載置台上に設置され、指載置台は、上下動可能に構成され、指載置台が下部位置にあるときに指が挿入され、指載置台が上部位置にあるときに指の爪が印刷されるようにしたことを特徴とする。
【００１２】
本考案の請求項５に係るネイルプリンターは、上記請求項１〜４のいずれか１項に係るネイルプリンターの構成に加えて、外部通信制御装置が、スマートフォン、タブレットコンピュータ、パーソナルコンピュータ等の電子応用端末機器であることを特徴とする。
【考案の効果】
【００１３】
本考案に係るネイルプリンターは、上記の構成をなしているため、形態がコンパクトで、種々の操作ボタンやモニターなどが付設されていないすっきりとしたネイルプリンターであって、気に入った絵や模様のネイルアートを、指１本単位で、誰もが手軽に自身の指の爪に施すことができる。
【００１４】
また、本考案に係るネイルプリンターは、使用時にのみ蓋内側に収納された指載置補助具をプリンター本体の指挿入口に挿入して使用し、不使用時には指載置補助具を蓋内側に収納する構成としたため、奥行き寸法が短くできるので、コンパクトなネイルプリンターを提供することができる。
【００１５】
さらに、データを認識させる主機能は、スマートフォン等の外部通信制御装置に設けているため、コンピュータ機能を持たせる必要がないので安価に製造することができる。
【００１６】
さらにまた、本考案に係るネイルプリンターは、不使用時には、蓋体により指挿入口が塞がれるため、指挿入口に埃が侵入しないので、清潔感と快適性が得られる製品となる。
【００１７】
また、指載置補助具を蓋体に収納することができるため、ネイルプリンター全体が一体感のあるフォルムを維持できインテリア性を高めた外観デザインとなる。
【００１８】
さらに、指載置補助具を蓋体から着脱可能にしたことにより、使用時は指載置補助具をプリンター本体に装着するため、指載置補助具がプリンター本体前面から突き出た状態となり、指が乗せやすく、かつ、操作しやすい効果がある。
【図面の簡単な説明】
【００１９】
【図１】本考案の実施例１に係るネイルプリンターの全体斜視図である。
【図２】本考案の実施例１に係るネイルプリンターから蓋体を分離した状態を示す分解斜視図である。
【図３】図２に示す蓋体から指載置補助具を分離した状態を示す分解斜視図である。
【図４】プリンター本体における指挿入口の指載置台に指載置補助具を設置した状態を表した斜視図である。
【図５】ネイルプリンターにおける正背面側から見た内部構造を示す概略説明図である。
【図６】ネイルプリンターにおける左右側面側から見た内部構造を示す概略説明図である。
【図７】プリンター本体における指挿入口の指載置台に指載置補助具を設置し、指載置台を上昇させた状態を表した斜視図である。
【図８】本考案の実施例１に係るネイルプリンターと従来例とのサイズを比較する概略図である。
【考案を実施するための形態】
【００２０】
次に本考案の好適な実施例を添付の図面に基づいて詳細に説明する。
【実施例１】
【００２１】
図１において、Ａはネイルプリンターを示し、ネイルプリンターＡは、プリンター本体１０と蓋体５０とから構成される。
【００２２】
蓋体５０は、プリンター本体１０の前面側に装着され、プリンター本体１０に対して着脱自在に構成されている。
【００２３】
ネイルプリンターＡには、図２に示すように、プリンター本体１０側に指挿入口２０が形成されており、蓋体５０側には指載置補助具６０が取り付けられている。
【００２４】
プリンター本体１０から蓋体５０を分離した図２に示すように、蓋体５０側に係合片となる一対の爪片５１が設けられていて、プリンター本体１０側の指挿入口２０の内側両側に係合するようになっており、この爪片５１を係合又は爪片５１の係合を解除することによって蓋体５０はプリンター本体１０に対して着脱可能となる。
【００２５】
また、蓋体５０には、前述の指載置補助具６０が取り付けられており、図３に示すように、蓋体５０から指載置補助具６０を取り外すことが可能である。
【００２６】
なお、指載置補助具６０は、プリンター本体１０側における指挿入口２０の指載置台２１上に挿入されて、その上面に指先が挿入載置される。
【００２７】
指載置補助具６０の構造は、図３に示すように、基部６１と、基部６１の略中央から延出し、前記指載置台２１上に設置する指載置部６２とからなる。また、指を載置する指載置部６２の上面部は、断面が湾曲状をなす緩やかに窪む湾曲面をなしている。
【００２８】
指載置部６２の下面側に、案内部材を設ける。
【００２９】
そして、蓋体５０には、保持部材として一組の保持片５２、嵌合保持部５３及び一対の係合爪５４が設けられていて、指載置補助具６０が蓋体５０に対して着脱可能になっている。すなわち、蓋体５０には、指載置補助具６０の基部６１を保持する一組の保持片５２が設けられている。また、蓋体５０には、指載置補助具６０における指載置部６２の下端が嵌合する嵌合保持部５３と、指載置部６２の上端内側に設けられている指載置補助具６０の基部６１が係合する一対の係合爪５４とが設けられている。したがって、蓋体５０に対して、指載置補助具６０の基部６１は蓋体５０の保持片５２に保持されると共に、指載置部６２は蓋体５０の嵌合保持部５３と係合爪５４とにより、図２に示すように、着脱自在に固定される。
【００３０】
次に、指載置補助具６０が指挿入口２０の指載置台２１上に挿入される構造について説明する。
【００３１】
指載置補助具６０における指載置部６２の下面側と、指挿入口２０の指載置台２１の上面側に、それぞれ係合する案内部材２２を設けることにより、指載置補助具６０と指載置台２１とが、スムーズに、かつ、がたつくことなくセットされ、図４に示すとおりとなる。
【００３２】
また、指載置台２１は、指挿入口２０において上下動可能に構成されている。すなわち、図５に示すように、指載置台２１の奥側の両側に垂直方向に支柱２３が立設されており、支柱２３には、図６に示すように、垂直方向の長孔２４が形成されている。一方、指載置台２１には、その奥部側に水平軸２５が設けられており、水平軸２５は長孔２４に対して上下に摺動可能に配設されている。なお、図示は省略するが、長孔２４の上端及び下端には長孔２４に対して、くの字に屈曲する短孔が形成されていて、水平軸２５が短孔に嵌まることにより、長孔２４に対して水平軸２５が長孔２４の上下の各位置で保持される構成になっている。
【００３３】
そして、図５及び図６に示すように、指載置台２１が下部位置にあるときに指載置補助具６０が前述した要領で設置され、指載置補助具６０に指先を挿入した後、指載置台２１を指載置補助具６０と共に上昇させて、図７に示すように、上部位置で停止させる。もちろん、長孔２４において指載置台２１の下方に蔓巻バネを設置しておいて、指載置台２１が上方に付勢されるように構成しておけば、下部の短孔から水平軸２５を脱離させると蔓巻バネの付勢力により指先が簡単に上昇して上部位置に達し易くなる。
【００３４】
以上のように構成したことにより、指の長さに比べて指載置台２１の長さの不足分は指載置補助具６０で補うことができるので、プリンター本体１０内に設置される指載置台２１を短くすることができ、図８に示すように、一点鎖線で示す指載置補助具６０を設けない従来のネイルプリンターＰに比較して、前面部を後退させることができて奥行きのサイズｓだけ狭めることができので、本実施例におけるネイルプリンターＡ全体をコンパクトにすることができる。また、蓋体５０をプリンター本体１０に装着すると、その全体がほぼ立方体の形状をなし、外観的には電源スイッチ１１のみが表れ、操作用のスイッチ等を設けていないので、すっきりとした体裁となる。
【００３５】
次に、図５及び図６に基づいてネイルプリンターＡの動作について説明する。
【００３６】
ネイルプリンターＡには、電源スイッチ１１（図１）が取り付けられており、電源スイッチ１１をＯＮにすると、電源基板７０に電流が流れ、外部通信制御装置Ｂ、例えばスマートフォンと信号を送受信する送受信装置７０ａが起動し、外部通信制御装置と通信可能となる。もちろん、撮像装置７１、プリンターヘッド７２、主駆動部７３、副駆動部７４を作動させる電流は電源基板７０から供給される。
【００３７】
外部通信制御装置Ｂには、予めネイルプリンターＡに内蔵されている撮像装置７１、プリンターヘッド７２を駆動させる主駆動部７３及び副駆動部７４、及び、プリンターヘッド７２の印刷動作を制御するためのアプリケーションソフトが組み込まれており、当該アプリケーションソフトを起動して外部通信制御装置の液晶モニター等の表示部に表れる画像を操作することにより、撮像装置７１、プリンターヘッド７２、主駆動部７３、副駆動部７４を作動させると共に必要な画像データを取得し、この取得した画像データを外部通信制御装置の液晶モニター等の表示部に画像として表し、当該画像に基づいて、好みの模様や文字などの図柄を付加することにより、指先の爪に好みの図柄を印刷することができる。
【００３８】
撮像装置７１は、指載置台２１に挿入載置した指先の爪の上方に設置されている。そして、指載置補助具６０の指載置部６２に指先を挿入し、指載置台２１を上昇させた状態において撮像装置７１が作動し、撮影された画像データが外部通信制御装置に送信される。
【００３９】
外部通信制御装置に送信された画像データは、外部通信制御装置の液晶モニター等の表示部に表れる。そして、液晶モニター等の表示部に表れた画像データに基づいて、好みの印刷データを作成し、液晶モニター等の表示部に表す。
【００４０】
そして、外部通信制御装置の液晶モニター等の表示部に表れた印刷データを確認しながら、外部通信制御装置を操作することにより、外部通信制御装置から送受信装置７０ａに信号が送信される。そして、送受信装置７０ａが受信した信号により、図５に示すように、主駆動部７３は、主駆動モータ７３Ｍの駆動により主駆動軸７３ａに沿ってプリンターヘッド７２を内蔵したキャリッジ７３ｂを作動させる。また、同様に受信した信号により、図６に示すように、副駆動部７４は、副駆動モータ７４Ｍの駆動により副駆動軸７４ａに沿ってキャリッジ７３ｂ内のプリンターヘッド７２を作動させる。これによってプリンターヘッド７２が２軸方向に自在に指先の爪上で作動し、外部通信制御装置Ｂを操作することにより、爪に印刷データの画像を印刷する。
【００４１】
以上詳述したように、ネイルプリンターＡの使用者は、ネイルプリンターＡの電源スイッチ１１をＯＮにし、ネイルプリンターＡから蓋体５０を取り外して指載置補助具６０をプリンター本体１０の指載置台２１に設置すると共に、自己の指先を指載置台２１上に挿入載置し、その後は、外部通信制御装置Ｂを操作するだけで、指１本毎に指先の爪に好みの画像を印刷することができる。
【００４２】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００４３】
Ａ………ネイルプリンター
Ｂ………外部通信制御装置
１０……プリンター本体
１１……電源スイッチ
２０……指挿入口
２１……指載置台
２２……案内部材
２３……支柱
２４……長孔
２５……水平軸
５０……蓋体
５１……爪片
５２……保持片
５３……嵌合保持部
５４……係合爪
６０……指載置補助具
６１……指載置補助具の基部
６２……指載置補助具の指載置部
７０……電源基板
７０ａ…送受信装置
７１……撮像装置
７２……プリンターヘッド
７４……主駆動部７３及び副駆動部
７３Ｍ…主駆動モータ
７３ａ…主駆動軸
７３ｂ…キャリッジ
７４Ｍ…副駆動モータ
７４ａ…副駆動軸
Ｐ………従来のネイルプリンター
ｓ………実施例と従来例との奥行きサイズの差
【図１】
0003218523.tif 000003
【図２】
0003218523.tif 000004
【図３】
0003218523.tif 000005
【図４】
0003218523.tif 000006
【図５】
0003218523.tif 000007
【図６】
0003218523.tif 000008
【図７】
0003218523.tif 000009
【図８】
0003218523.tif 000010